(57)【要約】【課題】本発明は、東洋思想の理である陰陽五行説の嫡流とされる占星術の四柱推命学に関し、サッカーボールの表面の区画され十干十二支より青赤黄白黒の五つの色を九星学による十干十二支の方角を定め３２枚のカードをサッカーボールの表面に配当した方法に関する。【解決手段】発明は、十干十二支の各方角にカラーカードを配置してカードの製作方法及びカラーサッカーボールの製作方法、及びカラーサッカーボールを目で視るか又は指先で触りながら、もう一方の手の親指と他のいずれかの指との押圧力を測定、或いはオーリングテストの強弱を測定。カラーサッカーボールは、東洋医学の経絡と経穴に反応共鳴しますから「未病を治す」と言う予防医学にも敷延できると同時に、予防医療啓蒙推進のアイテムとして活用できる特徴がある。【選択図】  図１
2004305291.tif 000002
【特許請求の範囲】
【請求項１】
陰陽五行の十干十二支に青赤黄白黒の五つの色を配当して作成した五角形カード１２個と六角形カード２０個でサッカーボールの３２個に区画された表面に当てはめ、運勢運気の上昇をはかること、及びカードの着色とカードの使用方法と活用範囲に関する。
【請求項２】
請求項１記載の五つの色とは五行木の木気には青色、五行火の火気には赤色、五行土の土気には黄色、五行金の金気には白色、五行水の水気には黒色の五つの色を、陰陽五行の十干十二支に配当して作る五角形１２枚は十二支よりと六角形２０枚は十干よりのカラーカード
【請求項３】
請求項２記載の３２枚のカラーカードをサッカーボールの表面に配当したカラーボールを目で視る又は指先で触って、指押圧力を測定器かピンチゲージで測定して数値を記録又はオーリングテスト実施して強弱を記録。
【請求項４】
六十干支の干を陰陽天地の理から天の気とし、天干といい甲乙丙丁戊己庚辛壬癸の十種の干で表示され十干という。六十干支の支を陰陽天地の理から地の気とし、地支といい子丑寅卯辰巳午未申酉戌亥の十二種の支で表示され十二支という。この天干と地支の組み合わせた形態。
【請求項５】
まず、請求項４記載、地の気十二支の寅卯は木で青色、巳午は火で赤色、申酉は金で白色、亥子は水で黒色、丑辰未戌の四支は黄色を配当し、サッカーボールの表面に区画された十二支の子から番号順に着色した五角形のカード。
【請求項６】
次に請求項４記載、天の気天干の甲乙は木で青色、丙丁は火で赤色、戊己は土で黄色、庚辛は金で白色、壬癸は水で黒色を配当し、サッカーボールの表面に区画された十干の甲から番号順に着色した六角形のカード。
【請求項７】
陰陽五行説の嫡流とされる、東洋占星術の四柱推命学。九星学は天文の星とは関係なく、何らかの形で地軸の影響を受けている状態で十二支の各方角を表わしている。地の気十二支の子の方位は北、丑寅の方位は北東、卯の方位は東、辰巳の方位は南東、午の方位は南、未申の方位は南西、酉の方位は西、戌亥の方位は北西。サッカーボールの表面に区画された１２個の五角形のなかで五角形の中心が空気入れのへその部分を北にして子の黒色のカードをあてる。対極の南の五角形部分は午の赤色のカードをあてる。残り１０枚の五角形のカラーカードを各方向毎に当てはめてみる。１２枚の五角形のカラーカードを配当する
【請求項８】
陰陽五行説の嫡流とされる、東洋占星術の四柱推命学。九星学は天文の星とは関係なく、何らかの形で地軸の影響を受けている状態で十干の各方角を表わしている。天の気十干の甲乙の方位は東、丙丁の方位は南東、庚辛の方位は西、壬癸の方位は北。サッカーボールの五角形の空気入れのへその部分を北にして２０枚の六角形のカラーカードを各方向毎に当てはめてみる。
【請求項９】
サッカーボールにカラーカードを配当したものと、競技用につかわれている五角形黒色、六角形白色のサッカーボールを目で視る又は指先で触って、指押圧力を測定器かピンチゲージで測定して数値を記録又はオーリングテスト実施して強弱を記録。
【請求項１０】
サッカーボールを天球にみたてると子午線で球体を半分に割り右半球と左半球に分ける。サッカーボール表面の１２個の五角形のひとつの中心空気入れのへそを北極にみたてると右半球には十二支の子丑寅卯辰巳午左半球には子羊申酉戌亥午の五角形のカラーカードが当てはまる。
【請求項１１】
色の確定されていない残り１２枚の六角形のうち羊戌の五角形に挟まれた六角形２個は黄色、丑辰の五角形に挟まれた六角形２個は黄色。残り８個の六角形のカラーカードは黒白青赤を各２枚配当する。残り８枚のカラーカードのうち子のカラーカードに接する３枚のカラーカードには子を中心に右回りに十干の白赤青を配当する。午のカラーカードに接する３枚のカラーカードには午を中心に右回りに十干の白黒青を配当する。残り２枚のカラーカードのうち羊亥卯に挟まれた六角形は黒を酉巳丑に挟まれた六角形は赤を配当する
【発明の詳細な説明】
【０００１】
【発明の属する技術分野】
本発明は、陰陽五行説の十干十二支に、五行木の木気には青色、五行火の火気には赤色、五行土の土気には黄色、五行金の金気には白色、五行水の水気には黒色の五つの色を配当して作成した１２個の五角形のカードと２０個の六角形のカードを、九星学の十干十二支に方角を決めサッカーボールの表面に配当したものを用いて、予防医療の啓蒙推進アイテムとして活用するため。カラーサッカーボールの製作方法及び使い方と活用方法と範囲に関する。
【０００２】
【従来の技術】
競技用につかわれている五角形１２個の黒色、六角形２０個の白色のサッカーボール。九星学の方位盤は平面状に方角を表わしたもの。
【０００３】
【発明が解決しようとする課題】
従来のサッカーボールにあっては、競技に使われているのが主な用途。九星学の方位盤を球体の表面上に方角を設定。
【０００４】
【課題を解決するための手段】
本発明は十干十二支のカラーカードが配当されたサッカーボールを目で視る又は指で触って指押圧力を測定するか、オーリングテストを実施する。
【０００５】
カラーサッカーボールの製作方法とカードの使い方、及び東洋医学における「未病を治す」という予防医療の知識と、実践活用方法の提供を目的とする。
【０００６】
【発明の実施の形態】
発明の実施の形態を実施例にもとづき図面を参照して説明する。
図１図２において、各色に配当されたカラーサッカーボールは、目で視るかまたは指先で触って指押圧力を測定装置やピンチゲージで測定するか、オーリングテストを実施する。
【図面の簡単な説明】
【図１】サッカーボールに十干十二支の五原色を配当した子を中心にみた正面図である。
【図２】サッカーボールに十干十二支の五原色を配当した午を中心にみた正面図である。
【符号の説明】
１  子  黒色
２  丑  黄色
３  寅  青色
４  亥  黒色
５  戌  黄色
６  酉  白色
７  午  赤色
８  羊  黄色
９  卯  青色
１０  辰  黄色
１１  巳  赤色
１２  申  白色
１３      赤色
１４      青色
１５  癸  黒色
１６  壬  黒色
１７      白色
１８      赤色
１９      黄色
２０  甲  青色
２１      黄色
２２  辛  白色
２３      白色
２４      黒色
２５      青色
２６  丙  赤色
２７  丁  赤色
２８      黄色
２９      黒色
３０  乙  青色
３１      黄色
３２  庚  青色
【図１】
2004305291.tif 000003
【図２】
2004305291.tif 000004